(57)【要約】  半円形の湾曲フレーム１７と、湾曲フレーム１７の内側に外端が固定され、内端が湾曲フレーム１７の湾曲中心に向かい伸びて溝状の半円端１８を形成するブラシ毛１９とによりタイヤ洗浄ブラシが構成され、溝状の半円端１８の半径Ｒ２を洗浄するタイヤ２０の断面半径Ｒ１よりも小さくする。
2013046639.tif 000002
【特許請求の範囲】
【請求項１】
半円形の湾曲フレームと、該湾曲フレームの内側に外端が固定され、内端が前記湾曲フレームの湾曲中心に向かい伸びて溝状の半円端を形成するブラシ毛とから構成され、前記半円端の半径が洗浄するタイヤの断面半径よりも小さいことを特徴とするタイヤ洗浄ブラシ。
【請求項２】
請求項１に記載のタイヤ洗浄ブラシが、ブラシ毛の溝状の半円端が連なるように複数配置され、互いに平行に対向し且つ対向面と平行に互いに異なる周期で円運動を行うように対で備えた第１揺動支持板と第２揺動支持板の各対の相互間に、前記複数のタイヤ洗浄ブラシを交互に固定したことを特徴とするタイヤ洗浄装置。
【請求項３】
枠体に平行に備えられて同一方向に回転する駆動軸及び従動軸と、
駆動軸及び従動軸に偏芯軸を介し取り付けられて同時に円運動するよう軸方向に間隔を隔てて配置した一対の第１揺動プレートと、該第１揺動プレートの夫々に隣接して配置され前記偏芯軸に対し１８０°ずれた偏芯軸を介し取り付けられて同時に円運動する一対の第２揺動プレートと、
前記一対の第１揺動プレート間を該揺動プレートの長手方向に間隔を隔てて連結する一対の第１揺動軸と、前記一対の第２揺動プレート間を前記一対の第１揺動軸とは異なる位置で同一の間隔を隔てて連結する一対の第２揺動軸と、
一対の第１揺動軸間を連結するよう軸方向に間隔を隔てて設けた一対の第１揺動支持板と、該一対の第１揺動支持板の夫々に隣接して前記一対の第２揺動軸間を連結する一対の第２揺動支持板を有するブラシ駆動機構と、
半円形の湾曲フレームと、該湾曲フレームの内側に外端が固定され、内端が前記湾曲フレームの湾曲中心に向かい伸びて溝状の半円端を形成するブラシ毛とから構成され前記半円端の半径が洗浄するタイヤの断面半径よりも小さく形成されたタイヤ洗浄ブラシが支持構造に取り付けられたブラシ組立体とを備え、
１つのブラシ組立体の支持構造を前記一対の第１揺動支持板間に固定し、隣接する他のブラシ組立体の支持構造を前記一対の第２揺動支持板間に固定するよう交互に配置し、且つ各ブラシ組立体の半円端がタイヤの回転半径外面に沿うように凹形弧状に配置することで左右一対の洗浄ブラシユニットを構成した
ことを特徴とする車椅子のタイヤ洗浄装置。
【請求項４】
前記洗浄ブラシユニットは、前記一対の第１揺動支持板の一方と、前記一対の第２揺動支持板の一方に、タイヤの側面を洗浄する側面洗浄ブラシを備えたことを特徴とする請求項３に記載の車椅子のタイヤ洗浄装置。
【請求項５】
前記一対の洗浄ブラシユニットを第１及び第２揺同軸の軸方向に２組備えることで、前輪洗浄用の洗浄ブラシユニットと、後輪洗浄用の洗浄ブラシユニットを構成したことを特徴とする請求項３又は４に記載の車椅子のタイヤ洗浄装置。
【請求項６】
前記一対の洗浄ブラシユニットを有するブラシ駆動機構を前記枠体の前後に備えることで、前輪洗浄用の洗浄ブラシユニットと、後輪洗浄用の洗浄ブラシユニットを構成したことを特徴とする請求項３又は４に記載の車椅子のタイヤ洗浄装置。
【請求項７】
第１揺動支持板間及び第２揺動支持板間に配置される各ブラシ組立体は、タイヤの回転半径線に対して同方向に傾斜していることを特徴とする請求項３又は４のいずれか１つに記載の車椅子のタイヤ洗浄装置。
【請求項８】
前記各洗浄ブラシユニットは、各ブラシ組立体の半円端が同一の凹形弧状を形成するように配置されたことを特徴とする請求項３又は４のいずれか１つに記載の車椅子のタイヤ洗浄装置。
【請求項９】
前記対をなす洗浄ブラシユニットは、相互の間隔が第１揺動軸及び第２揺動軸の軸方向へ調整可能であることを特徴とする請求項３又は４のいずれか１つに記載の車椅子のタイヤ洗浄装置。
【請求項１０】
前記枠体には、前記タイヤ洗浄ブラシの下部が洗浄液に浸漬する洗浄液槽を備えたことを特徴とする請求項３又は４のいずれか１つに記載の車椅子のタイヤ洗浄装置。
【発明の詳細な説明】
【技術分野】
【０００１】
本発明は、タイヤ洗浄ブラシ及びタイヤ洗浄装置、ならびに車椅子のタイヤ洗浄装置に関するものである。
【背景技術】
【０００２】
従来、利用により汚れた車椅子のタイヤ部分を洗浄する装置としては、例えば特許文献１、２に示すものがある。特許文献１の車椅子のタイヤ洗浄装置は、タイヤを支持した状態でタイヤを回転させる前後２つの転動ローラを備えており、該転動ローラの間には円筒ブラシが備えられ、該円筒ブラシを回転することによりタイヤの接地面を洗浄している。前記円筒ブラシは、二本のワイヤ間にブラシ毛の長さ方向中間部を挟み込んで前記ワイヤを捻ることによりブラシ毛を螺旋状に固定して円筒形状にしたものである。又、特許文献２の車椅子のタイヤ洗浄装置は、車椅子が前後に移動しないように固定ブラシと押圧ローラを備えて保持し、タイヤの接地面に当接して回転する円筒ブラシと、タイヤの側面に当接して回転する側面ブラシを備えている。
【先行技術文献】
【特許文献】
【０００３】
【特許文献１】特開２００４−０１７７３３号公報
【特許文献２】特開２０１０−０５７６２５号公報
【発明の概要】
【発明が解決しようとする課題】
【０００４】
従来の車椅子のタイヤ洗浄装置は、一般に、特許文献１、２に示すように、円筒ブラシを用いていてタイヤの洗浄を行っているために、洗浄効果が低いという問題を有していた。即ち、円筒ブラシは、前記したように、二本のワイヤ間にブラシ毛を挟み込んで捻ることにより螺旋状に固定したものであるため、ワイヤに固定された中心部分のブラシ毛の密度は高くても、ブラシ毛は外方へ向かって放射状に広がるために外周端部の密度は小さい。このため、円筒ブラシの回転数を高めてもブラシ毛が実際にタイヤの接地面に接触する頻度は小さく、そのために洗浄効果を高めることができなかった。【０００５】
又、従来の円筒ブラシは、回転によってブラシ毛がタイヤの接地面に接触することで洗浄を行うものであるため、タイヤの接地面に接するブラシ毛の先端はタイヤから逃げるように曲がってしまい、このために、タイヤの溝内に侵入した土砂や汚れ、体重の負荷により押しつけられた付着ゴミ等は除去され難いという問題を有していた。【０００６】
一方、多数の車椅子を保有する車椅子のレンタル業者や介護施設等においては、衛生面などから車椅子のタイヤを定期的に洗浄している。しかし、従来のタイヤ洗浄装置では、前記した如く円筒ブラシを用いているために高い洗浄効果が得られず、洗浄に長時間を要するという問題があり、更に、円筒ブラシは多数の車椅子の洗浄に繰り返し使用された際に、磨耗したりブラシ毛の変形が生じたりして洗浄能力が更に低下する問題がある。このため、従来のタイヤ洗浄装置では、頻繁に円筒ブラシを交換しなければならず、メンテナンスのための手間や費用が増加するという問題を有していた。【０００７】
本発明は、上記従来の問題点に鑑みてなしたもので、ブラシ毛がタイヤに接触する頻度を高めてタイヤの洗浄効果を高めることができるようにしたタイヤ洗浄ブラシ及びタイヤ洗浄装置、ならびに車椅子のタイヤ洗浄装置を提供しようとするものである。
【課題を解決するための手段】
【０００８】
本発明のタイヤ洗浄ブラシは、半円形の湾曲フレームと、該湾曲フレームの内側に外端が固定され、内端が前記湾曲フレームの湾曲中心に向かい伸びて溝状の半円端を形成するブラシ毛とから構成され、前記半円端の半径が洗浄するタイヤの断面半径よりも小さいことを特徴とする。【０００９】
本発明のタイヤ洗浄装置は、前記タイヤ洗浄ブラシが、ブラシ毛の溝状の半円端が連なるように複数配置され、互いに平行に対向し且つ対向面と平行に互いに異なる周期で円運動を行うように対で備えた第１揺動支持板と第２揺動支持板の各対の相互間に、前記複数のタイヤ洗浄ブラシを交互に固定したことを特徴とする。【００１０】
本発明の車椅子のタイヤ洗浄装置は、枠体に平行に備えられて同一方向に回転する駆動軸及び従動軸と、
駆動軸及び従動軸に偏芯軸を介し取り付けられて同時に円運動するよう軸方向に間隔を隔てて配置した一対の第１揺動プレートと、該第１揺動プレートの夫々に隣接して配置され前記偏芯軸に対し１８０°ずれた偏芯軸を介し取り付けられて同時に円運動する一対の第２揺動プレートと、
前記一対の第１揺動プレート間を該揺動プレートの長手方向に間隔を隔てて連結する一対の第１揺動軸と、前記一対の第２揺動プレート間を前記一対の第１揺動軸とは異なる位置で同一の間隔を隔てて連結する一対の第２揺動軸と、
一対の第１揺動軸間を連結するよう軸方向に間隔を隔てて設けた一対の第１揺動支持板と、該一対の第１揺動支持板の夫々に隣接して前記一対の第２揺動軸間を連結する一対の第２揺動支持板を有するブラシ駆動機構と、
半円形の湾曲フレームと、該湾曲フレームの内側に外端が固定され、内端が前記湾曲フレームの湾曲中心に向かい伸びて溝状の半円端を形成するブラシ毛とから構成され前記半円端の半径が洗浄するタイヤの断面半径よりも小さく形成されたタイヤ洗浄ブラシが支持構造に取り付けられたブラシ組立体とを備え、
１つのブラシ組立体の支持構造を前記一対の第１揺動支持板間に固定し、隣接する他のブラシ組立体の支持構造を前記一対の第２揺動支持板間に固定するよう交互に配置し、且つ各ブラシ組立体の半円端がタイヤの回転半径外面に沿うように凹形弧状に配置することで左右一対の洗浄ブラシユニットを構成した
ことを特徴とする。【００１１】
前記車椅子のタイヤ洗浄装置において、前記洗浄ブラシユニットが、前記一対の第１揺動支持板の一方と、前記一対の第２揺動支持板の一方に、タイヤの側面を洗浄する側面洗浄ブラシを備えていることは好ましい。【００１２】
又、前記車椅子のタイヤ洗浄装置において、前記一対の洗浄ブラシユニットを第１及び第２揺同軸の軸方向に２組備えることで、前輪洗浄用の洗浄ブラシユニットと、後輪洗浄用の洗浄ブラシユニットを構成することができる。【００１３】
又、前記車椅子のタイヤ洗浄装置において、前記一対の洗浄ブラシユニットを有するブラシ駆動機構を前記枠体の前後に備えることで、前輪洗浄用の洗浄ブラシユニットと、後輪洗浄用の洗浄ブラシユニットを構成することができる。【００１４】
又、前記車椅子のタイヤ洗浄装置において、第１揺動支持板間及び第２揺動支持板間に配置される各ブラシ組立体は、タイヤの回転半径線に対して同方向に傾斜していることは好ましい。【００１５】
又、前記車椅子のタイヤ洗浄装置において、前記各洗浄ブラシユニットが、各ブラシ組立体の半円端が同一の凹形弧状を形成するように配置されることは好ましい。【００１６】
又、前記車椅子のタイヤ洗浄装置において、前記対をなす洗浄ブラシユニットが、相互の間隔が第１揺動軸及び第２揺動軸の軸方向へ調整可能であることは好ましい。【００１７】
又、前記車椅子のタイヤ洗浄装置において、前記枠体には、前記タイヤ洗浄ブラシの下部が洗浄液に浸漬する洗浄液槽を備えていることが好ましい。
【発明の効果】
【００１８】
本発明のタイヤ洗浄ブラシによれば、半円形の湾曲フレームと、該湾曲フレームの内側に外端が固定され、内端が前記湾曲フレームの湾曲中心に向かい伸びて溝状の半円端を形成するブラシ毛とから構成されているので、タイヤに接触するブラシ毛の密度を高めることができ、よって、タイヤの洗浄効果を著しく高めることができる。更に、前記半円端の半径が洗浄するタイヤの断面半径よりも小さくなっているので、タイヤの接地面と同時にタイヤの側面も効果的に洗浄することができる。【００１９】
本発明のタイヤ洗浄装置によれば、互いに平行に対向し且つ対向面と平行に互いに異なる周期で円運動を行うように対で備えた第１揺動支持板と第２揺動支持板の各対の相互間に、複数のタイヤ洗浄ブラシを交互に固定したので、半円端を形成するブラシ毛の内端が円運動によりタイヤ外面を衝き洗いすると共に、もみ洗いするようになるため、タイヤの溝内に侵入した土砂や汚れ、体重の負荷により押しつけられた付着ゴミ等を除去することができ、高い洗浄効果を達成することができる。【００２０】
本発明の車椅子のタイヤ洗浄装置によれば、タイヤ洗浄ブラシの半円端に車椅子の車輪が嵌合するように載置すると、１８０°周期がずれて円運動する第１及び第２揺動支持板間に交互に配置された複数のタイヤ洗浄ブラシのブラシ毛によって、タイヤ外面を衝き洗いすると共に、もみ洗いするようになるので、タイヤの下部外周面を効果的に洗浄することができる。更に、円運動するタイヤ洗浄ブラシがタイヤを前方へ押すように作用するため、タイヤの下部が前方へ移動して車輪が回転するため、タイヤ洗浄ブラシにより車輪の全周を効果的に洗浄することができる。
【図面の簡単な説明】
【００２１】
【図１】本発明における車椅子のタイヤ洗浄装置の一実施例を示す平面図である。
【図２】図１をＩＩ−ＩＩ方向から見た正面図である。
【図３】図２をＩＩＩ方向から見た側面図である。
【図４】図２をＩＶ方向から見た側面図である。
【図５】図２の一部を拡大して示した平面図である。
【図６】（ａ）は本発明におけるタイヤ洗浄ブラシの一例を示す正面図、（ｂ）は（ａ）をＢ−Ｂ方向から見た平面図である。
【図７】（ａ）はブラシ組立体の一例を示す正面図、（ｂ）は（ａ）を構成する支持構造の平面図である。
【図８】平行に円運動する一対の第１揺動支持板相互間と、該第１揺動支持板に対して１８０°周期がずれて円運動する一対の第２揺動支持板相互間とにブラシ組立体を取り付けて構成した洗浄ブラシユニットの斜視図である。
【図９】車椅子の前輪を洗浄している状態を示す側面図である。
【図１０】車椅子の後輪を洗浄している状態を示す側面図である。
【図１１】側面洗浄ブラシを取り付けるようにした洗浄ブラシユニットの他の実施例を示す斜視図である。
【図１２】洗浄ブラシユニットの側面洗浄ブラシがタイヤの側面を洗浄している状態を示す斜視図である。
【図１３】図１２をＸＩＩＩ−ＸＩＩＩ方向から見た断面図である。
【図１４】本発明における車椅子のタイヤ洗浄装置の他の実施例を示す平面図である。
【発明を実施するための形態】
【００２２】
以下、本発明の実施の形態を図示例と共に説明する。
【００２３】
図１〜図５は本発明における車椅子のタイヤ洗浄装置の一実施例を示すもので、この車椅子のタイヤ洗浄装置はブラシ駆動機構Ｗを構成している。ブラシ駆動機構Ｗは、長方形の枠体１に、該枠体１の長手方向に配置されて駆動モータ２により駆動される駆動軸３と、該駆動軸３に対して枠体１の幅方向へ間隔を隔てて平行に配置した従動軸４とを設けている。前記駆動軸３と従動軸４は、プーリ５及びベルト６により連結されて同方向に回転するようになっている。７はカップリング、８は軸受を示す。
【００２４】
前記駆動軸３及び従動軸４には、図５に示すように同方向に偏芯した偏芯軸９を介して取り付けられることで鉛直（上下前後）に円運動する一対の第１揺動プレート１０ａ，１０ｂを軸方向に間隔を隔てて設けてあり、又、前記第１揺動プレート１０ａ，１０ｂの夫々の右側に隣接する位置には、前記偏芯軸９に対して１８０°ずれた偏芯軸９'を介して取り付けられることで鉛直に円運動する一対の第２揺動プレート１１ａ，１１ｂを設けている。上記偏芯軸９，９'の偏芯距離は１ｍｍ〜２ｍｍ程度とすることができる。この場合の第１及び第２揺動プレート１１ａ，１１ｂの円運動による移動距離は２ｍｍ〜４ｍｍとなる。
【００２５】
前記一対の第１揺動プレート１０ａ，１０ｂ間には、該揺動プレートの長手方向に間隔を隔てて相互を連結する一対の第１揺動軸１２ａ，１２ｂを設け、前記一対の第２揺動プレート１１ａ，１１ｂ間には、前記一対の第１揺動軸１２ａ，１２ｂとは異なる位置で同一の間隔を有して相互を連結する一対の第２揺動軸１３ａ，１３ｂを設ける。
【００２６】
又、図５に示す如く、前記一対の第１揺動軸１２ａ，１２ｂ間を連結するよう軸方向に間隔を隔てた一対の第１揺動支持板１４ａ，１４ｂを設け、該一対の第１揺動支持板１４ａ，１４ｂの夫々の右側に隣接して前記一対の第２揺動軸１３ａ，１３ｂ間を連結する一対の第２揺動支持板１５ａ，１５ｂを設ける。
【００２７】
この時、前記一対の第１揺動支持板１４ａ，１４ｂは、図７（ａ）の実線及び図８に示すように、一側の背が高い第１揺動支持板１４ａと他側の背が低い第１揺動支持板１４ｂとからなっており、又、前記一対の第２揺動支持板１５ａ，１５ｂは、図７（ａ）の二点鎖線及び図８に示すように、前記とは逆に、一側の背が低い第２揺動支持板１５ａと他側の背が高い第２揺動支持板１５ｂとからなっている。即ち、隣接する第１揺動支持板１４ａと第２揺動支持板１５ａとは高さが異なり、隣接する第１揺動支持板１４ｂと第２揺動支持板１５ｂとは高さが異なっている。
【００２８】
そして、上記ブラシ駆動機構Ｗにおける一対の第１揺動支持板１４ａ，１４ｂ間、及び、一対の第２揺動支持板１５ａ，１５ｂ間には、本発明のタイヤ洗浄ブラシ１６を設けている。
【００２９】
図６はタイヤ洗浄ブラシ１６の一例を示すもので、このタイヤ洗浄ブラシ１６は、半円形の湾曲フレーム１７と、該湾曲フレーム１７の内側に外端が固定され、内端が前記湾曲フレーム１７の湾曲中心に向かい伸びて溝状の半円端１８を形成するブラシ毛１９とから構成されており、前記半円端１８の半径は、洗浄するタイヤ２０の断面半径Ｒ１よりも小さい半径Ｒ２となっている。
【００３０】
このタイヤ洗浄ブラシ１６のブラシ毛１９は、溝状の半円端１８に向かって密度が高くなるため、タイヤ洗浄ブラシ１６の溝状の半円端１８をタイヤ２０に押し当ててタイヤ２０の洗浄を行うと、従来の円筒ブラシに比して洗浄効果を大幅に高めることできる。
【００３１】
前記タイヤ洗浄ブラシ１６を、前記一対の第１揺動支持板１４ａ，１４ｂ間及び一対の第２揺動支持板１５ａ，１５ｂ間に取り付けるために、図７に示す如く、前記タイヤ洗浄ブラシ１６に支持構造２１を取り付けてブラシ組立体２２を構成している。前記支持構造２１は、湾曲フレーム１７に沿うように形成された湾曲支持材２３と、タイヤ洗浄ブラシ１６及び湾曲支持材２３を前後に挟むように設けられる湾曲した２枚の支持板２４，２５と、Ｕ字形チャンネル材によりＵ字状に形成して前記湾曲支持材２３と支持板２４，２５をＵ字状の内側に挟み込んで支持する支持フレーム２６とにより構成されており、前記支持構造２１は点溶接２７によって一体に組み立てられている。前記支持板２４，２５の互いに反対側の上縁には、半円断面を有する前記タイヤ洗浄ブラシ１６の上面のブラシ毛１９を押えるためのフランジ部２８が形成してあり、該フランジ部２８は固定ネジ２９により前記Ｕ字状の湾曲支持材２３の両端部にネジ孔２９'を介して固定されている。
【００３２】
そして、図７（ａ）に示すように、１つのブラシ組立体２２の支持フレーム２６の一端の上部を、背が高い第１揺動支持板１４ａの上部にスペーサ３０を介して固定ネジ３１により固定し、支持フレーム２６の他端の下部を、背が低い第１揺動支持板１４ｂに固定ネジ３２により固定している。
【００３３】
前記１つのブラシ組立体２２に隣接して配置されるブラシ組立体２２は、二点鎖線で示すように、支持フレーム２６の一端の下部を、背が低い第２揺動支持板１５ａに固定ネジ３２により固定し、支持フレーム２６の他端の上部を、背が高い第２揺動支持板１５ｂにスペーサ３０を介して固定ネジ３１により固定している。
【００３４】
このようにして、前記一対の第１揺動支持板１４ａ，１４ｂ間と一対の第２揺動支持板１５ａ，１５ｂ間とに、タイヤ洗浄ブラシ１６を交互に取り付けて図８に示すように配置することにより、洗浄ブラシユニット３３を構成する。図８の洗浄ブラシユニット３３の構成によれば、一対の第１揺動支持板１４ａ，１４ｂ及び一対の第２揺動支持板１５ａ，１５ｂとブラシ組立体２２は、矢印Ｕで示す円運動を行っても互いに干渉することはない。
【００３５】
図１、図４に示す洗浄ブラシユニット３３ａ，３３ａ'は、図９に示す車椅子３４の径が小さい前輪３５を洗浄するための前輪洗浄用の洗浄ブラシユニットであり、前輪洗浄用の洗浄ブラシユニット３３ａ，３３ａ'のブラシ組立体２２は、車椅子３４の前輪３５の径Ｘ１の円弧に沿って凹んだ凹形弧状Ｖ１を形成するように配置されている。この凹形弧状Ｖ１は、径Ｘ１の円弧と同等或いは該円弧よりも曲率が小さい、即ち凹みが小さい形状を有している。
【００３６】
図１、図３に示す洗浄ブラシユニット３３ｂ，３３ｂ'は、図１０に示す径が大きい後輪３６を洗浄するための後輪洗浄用の洗浄ブラシユニットであり、後輪洗浄用の洗浄ブラシユニット３３ｂ，３３ｂ'のブラシ組立体２２は、車椅子３４の後輪３６の径Ｘ２の円弧に沿って凹んだ凹形弧状Ｖ２を形成するように配置されている。この凹形弧状Ｖ２は、径Ｘ２の円弧と同等或いは該円弧よりも曲率が小さい、即ち凹みが小さい形状を有している。
【００３７】
このため、前記ブラシ組立体２２を取り付ける前記一対の第１揺動支持板１４ａ，１４ｂ及び一対の第２揺動支持板１５ａ，１５ｂの長手方向中間部は、図８に示すように、前記凹形弧状Ｖ１、Ｖ２に沿うように湾曲した形状を有している。
【００３８】
前記したように、図８の洗浄ブラシユニット３３に複数取り付けられたブラシ組立体２２のタイヤ洗浄ブラシ１６は、矢印Ｕで示す円運動によって交互に上方へ突出するように作動するため、タイヤ洗浄ブラシ１６の半円端１８に嵌合して支持されたタイヤ２０は、交互に突出するタイヤ洗浄ブラシ１６によって効果的に衝き洗いされる。
【００３９】
更に、この時、円運動するブラシ組立体２２のタイヤ洗浄ブラシ１６はタイヤ２０の下部を前方へ押すように作用するため、このタイヤ洗浄ブラシ１６の押す力によってタイヤ２０の下部が前方へ移動することにより、図９に示す前輪３５及び図１０に示す後輪３６はＴ方向へ回転するようになる。このように、タイヤ洗浄ブラシ１６によって前輪３５及び後輪３６が自動的に回転することにより、前輪３５及び後輪３６は全周が効果的に洗浄される。この時、本発明のタイヤ洗浄ブラシ１６は、ブラシ毛１９の内端の密度が高くなっているため、従来のタイヤ洗浄装置の円筒ブラシに使用されている通常の硬度のブラシ毛１９を用いても、ブラシ毛１９の内端の強度が高められることにより前輪３５及び後輪３６は確実に回転するようになる。
【００４０】
更に、図８に示おいては、各ブラシ組立体２２は、車輪の回転半径線Ｓに対して、洗浄ブラシユニット３３の円運動によりタイヤ２０に接触するブラシ毛１９の移動方向である前方へ同一の傾斜角度αで傾斜して取り付けている。本発明者らの研究によると、前記ブラシ組立体２２の傾斜角度αを１５゜前後に選定すると、タイヤ２０を押す力が高められ、よって、図９の前輪３５及び図１０の後輪３６の回転を更に確実に行わせることができることが判明した。
【００４１】
又、図１〜図４に示す車椅子の洗浄装置では、洗浄ブラシユニット３３ａは固定とし、洗浄ブラシユニット３３ａ'と洗浄ブラシユニット３３ｂ，３３ｂ'は、揺動軸１２ａ，１２ｂ、１３ａ，１３ｂの軸方向へ移動可能に構成してあり、これにより、洗浄ブラシユニット３３ａ，３３ａ'間、及び、洗浄ブラシユニット３３ｂ，３３ｂ'間の間隔を調整できるようにしている。
【００４２】
そして、前記枠体１には、図２に示す如く、前記洗浄ブラシユニット３３に備えている全てのブラシ組立体２２のブラシ毛１９の下部が洗浄液３７ａに浸漬するようにした洗浄液槽３７を備えている。
【００４３】
次に、上記実施例の作動を説明する。
【００４４】
図１〜図５に示す車椅子のタイヤ洗浄装置では、駆動モータ２を駆動して駆動軸３及び従動軸４を１００〜３０００ｒｐｍ程度の回転数で回転する。すると、駆動軸３と従動軸４に図５に示す偏芯軸９を介して取り付けられた一対の第１揺動プレート１０ａ，１０ｂと、同様に偏芯軸９'を介して取り付けられた一対の第２揺動プレート１１ａ，１１ｂは、互いに１８０°ずれた周期で移動距離は２ｍｍ〜４ｍｍを有して鉛直な円運動を行う。
【００４５】
更に、一対の第１揺動プレート１０ａ，１０ｂ間に備えた一対の第１揺動軸１２ａ，１２ｂが円運動することにより、該第１揺動軸１２ａ，１２ｂ間に備えた一対の第１揺動支持板１４ａ，１４ｂが円運動する。又、一対の第２揺動プレート１１ａ，１１ｂ間に備えた一対の第２揺動軸１３ａ，１３ｂが前記第１揺動支持板１４ａ，１４ｂとは１８０°ずれた周期で円運動することにより、該第２揺動軸１３ａ，１３ｂに備えた一対の第２揺動支持板１５ａ，１５ｂが円運動する。
【００４６】
前記一対の第１揺動支持板１４ａ，１４ｂ間と、一対の第２揺動支持板１５ａ，１５ｂ間には、図８に示すように、ブラシ組立体２２を交互に取り付けて洗浄ブラシユニット３３を構成しているので、前記一対の第１揺動支持板１４ａ，１４ｂ間に支持されたブラシ組立体２２と、一対の第２揺動支持板１５ａ，１５ｂ間に支持されたブラシ組立体２２とは１８０°ずれた周期で鉛直に円運動する。
【００４７】
図９に示す車椅子３４の前輪３５を洗浄するには、車椅子３４の前輪３５を、図１、図２、図４に示す前輪洗浄用の洗浄ブラシユニット３３ａ，３３ａ'におけるタイヤ洗浄ブラシ１６の溝状の半円端１８に嵌合するように載置する。この時、前輪３５の左右の間隔と洗浄ブラシユニット３３ａ，３３ａ'の間隔が一致しない場合には、前輪３５の左右の間隔に合致するように、前記洗浄ブラシユニット３３ａ，３３ａ'の左右の間隔を調整する。
【００４８】
続いて、駆動モータ２を駆動すると、各洗浄ブラシユニット３３ａ，３３ａ'に隣接して備えられているブラシ組立体２２は互いに１８０°ずれた周期で鉛直に円運動し、タイヤ洗浄ブラシ１６のブラシ毛１９の内端はタイヤ２０（図６）の下部外周面を衝くように衝き洗いするようになる。これにより、タイヤ２０の溝内に侵入した土砂や汚れ、体重の負荷により押しつけられた付着ゴミ等は除去され、前輪３５を効果的に洗浄される。更に、複数のタイヤ洗浄ブラシ１６が円運動してタイヤ２０の下部外周面をもみ洗いするようになるので、従来の回転ブラシによる洗浄に比して極めて高い洗浄効果を達成することができる。このため、タイヤ２０の洗浄時間を大幅に短縮できるようになる。
【００４９】
この時、図６に示す如く、各タイヤ洗浄ブラシ１６は半円端１８に向かってブラシ毛１９の密度が高まるようになっており、ブラシ毛１９先端の密度は従来の円筒ブラシに比して例えば数十倍以上に高めることが容易に可能である。従って、前記タイヤ洗浄ブラシ１６は、従来の円筒ブラシに比して洗浄効果を著しく高めることができる。又、前記したように、タイヤ洗浄ブラシ１６のブラシ毛１９は半円端１８に向かって密度が高まるようになっているため、洗浄液槽３７内の洗浄液３７ａはブラシ毛１９の毛細管現象により良好に半円端１８に供給されるようになるので、タイヤ洗浄ブラシ１６によるタイヤ２０の洗浄効果は更に高められるようになる。
【００５０】
又、前記タイヤ洗浄ブラシ１６の溝状の半円端１８の半径Ｒ２は、洗浄するタイヤの断面半径Ｒ１よりも小さくなっているので、タイヤ２０の接地面を洗浄するのと同時に、円運動するブラシ毛１９の先端によってタイヤ２０の側面も効果的に洗浄することができる。
【００５１】
更に、図９示す前輪３５の径Ｘ１、及び図１０に示す後輪３６の径Ｘ２に対応するように、複数のブラシ組立体２２を凹形弧状Ｖ１，Ｖ２のように湾曲して配置しているため、タイヤ２０は矢印Ｕで示すように円運動する複数のタイヤ洗浄ブラシ１６によって同時に洗浄されることにより、更に、洗浄効果は高められる。
【００５２】
又、タイヤ洗浄ブラシ１６は、前記したように円運動によりタイヤ２０を衝き洗いするようにしているため、タイヤ２０の洗浄を行うのと同時に、図９の前輪３５、及び、図１０の後輪３６をタイヤ洗浄ブラシ１６により押して自動的に前方へ回転させることができるので、前輪３５及び後輪３６の全周を効果的に洗浄することができる。この時、ブラシ組立体２２を、図８に示すように、円運動によってタイヤ２０に接するタイヤ洗浄ブラシ１６の上側が移動する方向である前方へ、車輪の回転半径線Ｓに対して例えば１５゜前後の傾斜角度αで設けると、ブラシ毛１９がタイヤ２０を押して回転させる力が高められるため、タイヤ２０を更に確実に回転させることができる。
【００５３】
図１０に示す車椅子３４の後輪３６を洗浄するには、車椅子３４の後輪３６を図１、図２、図３の後輪洗浄用の洗浄ブラシユニット３３ｂ，３３ｂ'上に載置することにより、上記前輪３５を洗浄した場合と同様にして洗浄することができる。
【００５４】
図１１は、図８に示した洗浄ブラシユニット３３に側面洗浄ブラシ３８を取り付けるようにした洗浄ブラシユニット３３の他の実施例を示すもので、図１１に示す実施例の側面洗浄ブラシ３８は、Ｌ字形の取付金具３９の水平部３９ａ上に水平ブラシ４０が取付具４１により固定されており、前記取付金具３９の鉛直部３９ｂを、前記洗浄ブラシユニット３３の左右外側に備えられている第１揺動支持板１４ａと第２揺動支持板１５ｂの湾曲している中間部に、ボルト４２を介して固定している。
【００５５】
前記側面洗浄ブラシ３８は、図１２に示すように、前記第１揺動支持板１４ａと第２揺動支持板１５ｂに固定されたタイヤ洗浄ブラシ１６の上側に水平ブラシ４０が位置しており、且つ水平ブラシ４０の先端は、タイヤ洗浄ブラシ１６の半円端に１８に嵌合するように載置されたタイヤ２０の上部側面、或いはリム４３の側面まで延びる長さを有している。
【００５６】
又、前記水平ブラシ４０は、図１３に示すように、傾斜ワッシャ４４を用いて取付具４１により水平部３９ａに傾けて固定することにより、タイヤ２０の側面に対して水平ブラシ４０の先端が向かう高さ方向位置を設定できるようにしている。
【００５７】
図１１〜図１３に示すように、洗浄ブラシユニット３３に側面洗浄ブラシ３８を備えたことにより、タイヤ洗浄ブラシ１６によるタイヤ２０の下側周面の洗浄を行うと同時に、タイヤ２０の上部側面及びリム４３の側面を同時に洗浄することができる。
【００５８】
上記実施例に示すタイヤ洗浄装置は、ブラシ駆動機構Ｗに、前輪洗浄用の洗浄ブラシユニット３３ａ，３３ａ'と後輪洗浄用の洗浄ブラシユニット３３ｂ，３３ｂ'を備えているので、タイヤ洗浄装置をコンパクトな構成とすることかできる。
【００５９】
図１４は、本発明における車椅子３４のタイヤ洗浄装置の他の実施例を示すもので、図１４の実施例では、左右一対の洗浄ブラシユニット３３を備えたブラシ駆動機構Ｗ，Ｗ'を前記枠体１の前後に備えることにより、前輪洗浄用の洗浄ブラシユニット３３ｃと、後輪洗浄用の洗浄ブラシユニット３３ｄを前後に一体に備えた場合を示している。
【００６０】
図１４の前輪洗浄用の洗浄ブラシユニット３３ｃに複数備えるブラシ組立体２２と、後輪洗浄用の洗浄ブラシユニット３３ｄに複数備えるブラシ組立体２２は、タイヤ洗浄ブラシ１６の上面が、大径を有する後輪３６の径Ｘ２に対応した同一の凹形弧状Ｖ２を形成するように配置している。更に、前輪洗浄用の洗浄ブラシユニット３３ｃのブラシ組立体２２は、回転半径線Ｓに対し、前輪３５の下部を後方へ回転させるように後方へ傾斜角度αを有して傾斜しており、又、後輪洗浄用の洗浄ブラシユニット３３ｄのブラシ組立体２２は、回転半径線Ｓに対し、後輪３６の下部を前方へ回転させるように前方へ傾斜角度αを有して傾斜している。
【００６１】
尚、図１４に示した洗浄ブラシユニット３３ｃ，３３ｄにおいても、図１１〜図１３に示した側面洗浄ブラシ３８を備えることができる。
【００６２】
図１４の実施例により車椅子３４の車輪を洗浄するには、前輪３５が前輪洗浄用の洗浄ブラシユニット３３ｃのタイヤ洗浄ブラシ１６の半円端１８に嵌合し、後輪３６が後輪洗浄用の洗浄ブラシユニット３３ｄのタイヤ洗浄ブラシ１６の半円端１８に嵌合するように車椅子３４をタイヤ洗浄装置上に載置する。
【００６３】
続いて、図１に示す駆動モータ２を駆動すると、前記実施例と同様に、円運動するブラシ組立体２２のタイヤ洗浄ブラシ１６によって、前輪３５と後輪３６は回転し、前輪３５と後輪３６のタイヤ２０の洗浄を同時に行うことができるため、車椅子３４の車輪の洗浄作業を能率的に行うことができる。
【００６４】
この時、前輪洗浄用の洗浄ブラシユニット３３ｃと後輪洗浄用の洗浄ブラシユニット３３ｄは、大径を有する前輪３５の径Ｘ２に対応した同一の凹形弧状Ｖ２となっているため、前輪３５と後輪３６は凹形弧状Ｖ２の低い部分に向かって移動するようになるため、車椅子３４はタイヤ洗浄装置に対して前後方向に自動調心されて安定し、よって車椅子３４がタイヤ洗浄装置上からはみ出すようなことはない。
【００６５】
ここで、車椅子３４における前輪３５と後輪３６の軸間距離が最小の場合と最大の場合にも対応できるように、前輪洗浄用の洗浄ブラシユニット３３ｃ及び後輪洗浄用の洗浄ブラシユニット３３ｄの夫々の前後長さと前後間隔を設定しておくことにより、どのような軸間距離の車椅子３４においても車椅子３４をタイヤ洗浄装置上に保持させて安定して洗浄することができる。
【００６６】
更に、前輪洗浄用の洗浄ブラシユニット３３ｃのブラシ組立体２２は、前輪３５の下部を後方へ回転させるように後方へ傾斜角度αで傾斜しており、又、後輪洗浄用の洗浄ブラシユニット３３ｄのブラシ組立体２２は、後輪３６の下部を前方へ回転させるように前方へ傾斜角度αで傾斜しているため、前輪３５と後輪３６が回転することで移動しようとする力は相殺されることになり、これによっても、車椅子３４が移動する問題は防止される。
【００６７】
図１４の実施例は、前輪洗浄用の洗浄ブラシユニット３３ｃと後輪洗浄用の洗浄ブラシユニット３３ｄが対称な同一の構造を有しているので、前輪洗浄用の洗浄ブラシユニット３３ｃによって後輪３６を洗浄し、後輪洗浄用の洗浄ブラシユニット３３ｄによって前輪３５を洗浄することができる。従って、車椅子３４を自由な方向からタイヤ洗浄装置上に進入させて洗浄作業を行うことができるので、使い勝手を高めることができる。又、本発明のタイヤ洗浄装置は、従来の円筒ブラシを備えたタイヤ洗浄装置に比して高さ寸法を大幅に低くすることができるので、車椅子３４を押してタイヤ洗浄装置上に載置する作業、タイヤ洗浄装置上の車椅子３４を外部に取り出す作業を極めて容易に行うことができる。
【００６８】
更に、図１４の実施例では、前輪洗浄用の洗浄ブラシユニット３３ｃと後輪洗浄用の洗浄ブラシユニット３３ｄが対称な同一の構造を有しているため、製造が容易となり、コストを低減することができる。又、スイッチを備えることにより、前輪洗浄用の洗浄ブラシユニット３３ｃと後輪洗浄用の洗浄ブラシユニット３３ｄにより前輪３５と後輪３６を同時に洗浄する場合と、前輪３５又は後輪３６の一方を洗浄する場合とに切り換えることもできる。
【００６９】
尚、上記実施例では、図６に示すタイヤ洗浄ブラシ１６を車椅子３４のタイヤ２０の洗浄装置に用いた場合について例示したが、前記タイヤ洗浄ブラシ１６は、車椅子３４のタイヤ２０の洗浄以外に、自動車、バイク、自転車、各種カート等を多く取り扱うレンタル業者、販売業者或いは施設等において、それらのタイヤを洗浄するためのタイヤ洗浄装置として用いることにより、タイヤの洗浄効果を高めて、洗浄時間を短縮することができる。
【００７０】
又、上記実施例では、平行に対向し対向面が鉛直な円運動を行う一対の第１揺動支持板１４ａ，１４ｂ相互間と、前記第１揺動支持板１４ａ，１４ｂに隣接して配置され且つ第１揺動支持板１４ａ，１４ｂに対して１８０°周期がずれて円運動する一対の第２揺動支持板１５ａ，１５ｂ相互間に、複数のタイヤ洗浄ブラシ１６を交互に配置したので、１８０°周期がずれて円運動する複数のタイヤ洗浄ブラシ１６によって、タイヤ２０の外表面を略連続して効果的に洗浄することができて好ましい。
【００７１】
しかし、例えば、円運動する第１揺動支持板１０ａ，１０ｂのみを備えて、該第１揺動支持板１４ａ，１４ｂ相互間にタイヤ洗浄ブラシ１６を備えた場合にも、密度が高められたブラシ毛１９によってタイヤ２０の外面を衝き洗いして洗浄効果を高めることができるので好ましい。
【００７２】
尚、本発明のタイヤ洗浄ブラシ及びタイヤ洗浄装置、ならびに車椅子のタイヤ洗浄装置は、上述の実施例にのみ限定されるものではなく、本発明の要旨を逸脱しない範囲内において種々変更を加え得ることは勿論である。
【産業上の利用可能性】
【００７３】
本発明のタイヤ洗浄ブラシは、ブラシ毛により形成された溝状の半円端に車椅子のタイヤ部分を嵌合させてタイヤ洗浄ブラシを作動させることによりタイヤを洗浄する際に用いられる。
【符号の説明】
【００７４】
１  枠体
３  駆動軸
４  従動軸
９，９'  偏芯軸
１０ａ，１０ｂ  第１揺動プレート
１１ａ，１１ｂ  第２揺動プレート
１２ａ，１２ｂ  第１揺動軸
１３ａ，１３ｂ  第２揺動軸
１４ａ，１４ｂ  第１揺動支持板
１５ａ，１５ｂ  第２揺動支持板
１６  タイヤ洗浄ブラシ
１７  湾曲フレーム
１８  半円端
１９  ブラシ毛
２０  タイヤ
２１  支持構造
２２  ブラシ組立体
３３  洗浄ブラシユニット
３３ａ，３３ａ'  洗浄ブラシユニット（前輪洗浄用）
３３ｂ，３３ｂ'  洗浄ブラシユニット（後輪洗浄用）
３３c  洗浄ブラシユニット（前輪洗浄用）
３３d  洗浄ブラシユニット（後輪洗浄用）
３４  車椅子
３５  前輪（タイヤ）
３６  後輪（タイヤ）
３７  洗浄液槽
３８  側面洗浄ブラシ
Ｒ１  断面半径
Ｒ２  半径
Ｕ  円運動
Ｓ  回転半径線
Ｗ，Ｗ'  ブラシ駆動機構
Ｖ１，Ｖ２  凹形弧状
【図１】
2013046639.tif 000003
【図２】
2013046639.tif 000004
【図３】
2013046639.tif 000005
【図４】
2013046639.tif 000006
【図５】
2013046639.tif 000007
【図６】
2013046639.tif 000008
【図７】
2013046639.tif 000009
【図８】
2013046639.tif 000010
【図９】
2013046639.tif 000011
【図１０】
2013046639.tif 000012
【図１１】
2013046639.tif 000013
【図１２】
2013046639.tif 000014
【図１３】
2013046639.tif 000015
【図１４】
2013046639.tif 000016
【国際調査報告】
2013046639.tif 000017
2013046639.tif 000018
2013046639.tif 000019
2013046639.tif 000020